(57)【要約】【課題】特に医療現場または介護現場の好適な袋収納に資する技術・手段を提供すること。【解決手段】医療・介護用途に用いる架台であって、袋設置空間が間に規定されるように相互対向した部分を備えた袋空間規定部材を有して成り、袋空間規定部材の上端において局所的に突き出た形態を有する突出部が、医療・介護用袋のための係合部を成すことを特徴とする医療・介護用架台。【選択図】図１
2018089171.tif 000002
【特許請求の範囲】
【請求項１】
医療・介護用途に用いる架台であって、
袋設置空間が間に規定されるように相互対向した部分を備えた袋空間規定部材を有して成り、
前記袋空間規定部材の上端において局所的に突き出た形態を有する突出部が、医療・介護用袋のための係合部を成す、医療・介護用架台。
【請求項２】
前記相互対向した部分の一方と他方との双方に前記突出部が設けられている、請求項１に記載の医療・介護用架台。
【請求項３】
前記双方に設けられた前記突出部が互いに対向した位置関係を有する、請求項２に記載の医療・介護用架台。
【請求項４】
前記袋空間規定部材が略鉛直面内で延在する、請求項１〜３のいずれかに記載の医療・介護用架台。
【請求項５】
前記袋空間規定部材について鉛直方向寸法が水平方向寸法よりも大きい、請求項４に記載の医療・介護用架台。
【請求項６】
前記突出部の輪郭の少なくとも一部に略円弧形を含む、請求項１〜５のいずれかに記載の医療・介護用架台。
【請求項７】
前記相互対向した部分の一方と他方とが互いに一体形成されている、請求項１〜６のいずれかに記載の医療・介護用架台。
【請求項８】
前記袋空間規定部材が板材から成り、該板材の局所的な寸法増加により前記突出部が供されている、請求項１〜７のいずれかに記載の医療・介護用架台。
【請求項９】
前記袋空間規定部材が細長材から成り、該細長材の局所的な湾曲により前記突出部が供されている、請求項１〜７のいずれかに記載の医療・介護用架台。
【請求項１０】
前記袋設置空間が少なくとも２つ横並びで規定されるように、前記相互対向した部分の一方または他方を共通させて前記袋空間規定部材が並列的に複数配置されている、請求項１〜９のいずれかに記載の医療・介護用架台。
【請求項１１】
請求項１〜１０のいずれかに記載の医療・介護用架台の使用方法であって、
医療・介護用袋の開口端を前記突出部に対して係合させて該医療・介護用袋を前記袋設置空間に配置し、該医療・介護用袋を開いた状態とする、医療・介護用架台の使用方法。
【請求項１２】
前記医療・介護用袋が輸液バック・ボトル用袋であって、前記開いた状態の前記医療・介護用袋に対して輸液バック・ボトルを収納する、請求項１１に記載の医療・介護用架台の使用方法。
【発明の詳細な説明】
【技術分野】
【０００１】
本発明は、医療・介護用架台に関する。より詳細には、本発明は、主に医療分野または医療分野で使用される袋を保持するための架台に関すると共に、かかる架台の使用方法にも関する。
【背景技術】
【０００２】
現在、医療現場または介護現場では、様々な用途で袋が用いられている。例えば、患者や被介護者に直接的・間接的に使用した後に発生する医療・介護廃棄物などの他、使用済みの医療・介護器具などを収納するために袋が用いられている。
【０００３】
また、例えばがん治療の医療現場では抗がん剤が用いられるが、そのような抗がん剤は“輸液バック”または“輸液ボトル”などに収めた状態で用いられ、抗がん剤の点滴液として使用される。抗がん剤自体は、がん細胞の殺傷効果を奏するものの、同時に他の細胞にも作用してしまう。つまり、がん細胞のみならず、正常細胞に対しても作用するので、抗がん剤の取り扱いには注意が必要であり、患者のみならず、抗がん剤の点滴液を取り扱う医療従事者が抗がん剤に曝されないことが求められる。従って、そのような抗がん剤を含んだ“輸液バック”または“輸液ボトル”などは、適宜袋に収納されて廃棄されたりする。
【先行技術文献】
【非特許文献】
【０００４】
【非特許文献１】Nursing Mook 32 がん化学療法の理解とケア（編集：長場直子（神奈川県立足利上病院副看護局長）、発行人：藤沼稔、発行所：株式会社学習研究社、印刷：日本写真印刷株式会社、２００５年１２月３０日発行）
【発明の概要】
【発明が解決しようとする課題】
【０００５】
本願発明者らは、袋を医療現場または介護現場で使用する際の課題に気付き、そのための対策を取る必要性を見出した。
【０００６】
医療・介護廃棄物や使用済み医療・介護器具などを袋に収納するには、一方の手で袋を開けた状態にして、他方の手で医療・介護廃棄物や使用済み医療・介護器具などを収めることになるが、片方の手のみで袋を操作するので、袋が十分に開いた状態を維持し難い。袋の開口状態を好適に維持できないと、医療・介護廃棄物や使用済み医療・介護器具をスムーズに袋に収めることができない。また、収められたとしても医療・介護廃棄物や使用済み医療・介護器具が袋の外面に接触したりして、袋の外面が汚れた状態となり得る。後者は例えば曝露を防止が求められる抗がん剤ボトル・バッグの使用時（即ち、「抗がん剤が仕込まれる輸液バック・ボトル」の使用時）に特に問題となり得る。
【０００７】
抗がん剤の使用に関する曝露防止について詳述する。抗がん剤の使用に先立って行われる混合調製やプライミング時では、抗がん剤が飛散したり漏れたりする可能性があるところ、薬剤師自身は手袋をはめているので一般的に曝露の虞が少ない。薬剤師自身が曝露されないものの、混合調製やプライミングを経た輸液バック・ボトルには飛散・漏れに起因した抗がん剤が付着している可能性があり、それ以降に輸液バック・ボトルを扱う者にとっては曝露の危険にさらされ得る。つまり、抗がん剤が充填された輸液バック・ボトルを扱う者は知らずに抗がん剤曝露の危険にさらされている可能性がある。より具体的にいえば、看護師・患者自らが「病院の薬剤部から供された輸液バック・ボトル」を使用して抗がん剤投与を行う際、当然ながら輸液バック・ボトルを手で扱う作業が必要になるが、その輸液バック・ボトルの外面には抗がん剤が既に付着している可能性があり、それがゆえ看護師・患者らが抗がん剤に曝される虞がある。また、輸液バック・ボトルによる点滴を実施した後は、その輸液バック・ボトルを廃棄する必要がある。廃棄に際してはそのまま輸液バック・ボトルを破棄すればよいのではなく、残留する抗がん剤などによる悪影響を回避しなければならない。かかる事情ゆえ、輸液バック・ボトルを外界からの遮断するために袋を用いることが考えられる。特に輸液バック・ボトルを袋に納めた状態で点滴などを行った場合では、袋をそのまま廃棄袋として用いることが考えられる。
【０００８】
しかしながら、輸液バック・ボトルを袋に収めるにしても、片方の手のみで袋を開いた状態にするので、輸液バック・ボトルの如くの比較的大きな被収納物をスムーズに収めることができないことが懸念される。このような例に代表されるように袋収納の操作性には懸念が残る。また、最終的に収められたとしても抗がん剤が既に付着している虞のある輸液バック・ボトルが袋外面に接してしまったり、あるいは、医療従事者の手などの身体が袋外面に接してしまうことなどに起因して、二次汚染された袋が後刻で使用されてしまうことも懸念される。
【０００９】
本発明はかかる事情に鑑みて為されたものである。即ち、本発明の主たる目的は、特に医療現場または介護現場の好適な袋収納に資する技術・手段を提供することである。
【課題を解決するための手段】
【００１０】
本願発明者は、従来技術の延長線上で対応するのではなく、新たな方向で対処することによって上記目的の達成を試みた。その結果、上記主たる目的が達成された医療・介護用架台の発明に至ると共に、その使用方法の発明にも至った。
【００１１】
本発明では、医療・介護用途に用いる架台であって、
袋設置空間が間に規定されるように相互対向した部分を備えた袋空間規定部材を有して成り、
前記袋空間規定部材の上端において局所的に突き出た形態を有する突出部が、医療・介護用袋のための係合部を成すことを特徴とする、医療・介護用架台が提供される。
【００１２】
また、本発明では、かかる医療・介護用架台を使用する方法も提供される。本発明に係る使用方法では、
医療・介護用袋の開口端を突出部に対して係合させて医療・介護用袋を袋設置空間に配置することで、その医療・介護用袋を開いた状態とすることを特徴とする。
【発明の効果】
【００１３】
本発明の医療・介護用架台を用いれば、袋を開いたままにすることができるので、医療・介護廃棄物や使用済みの医療・介護器具などを袋に好適に収めることができる。特に、抗がん剤が仕込まれた輸液バック・ボトルなどをスムーズに袋に収めることができる。これは、医療・介護用架台によって使用者の両手がフリーな状態のまま袋の開口を維持でき、安全かつ的確に医療・介護関連物を収めることができることを意味している。このように袋の開口状態を維持できることは、結果として袋収納の操作性向上につながる。
【００１４】
特に、抗がん剤が充填された輸液バック・ボトルを扱うに際しては、医療・介護用架台で袋の開口状態をより好適に保持できるので、輸液バック・ボトルや使用者が袋外面に触れずに袋収納を実施でき、より確実な曝露防止を図ることができる。
【図面の簡単な説明】
【００１５】
【図１】図１は、本発明の医療・介護用架台を示した模式的斜視図である。
【図２】図２は、医療・介護用架台に袋を取り付けた態様を示した模式的斜視図である。
【図３】図３は、医療・介護用架台の突出部を説明するための模式図である。
【図４】図４は、一体成形品の医療・介護用架台を示した模式的斜視図である。
【図５】図５は、“複数の袋設置空間態様”の医療・介護用架台を示した模式的斜視図である。
【図６】図６は、“複数の袋設置空間態様”の医療・介護用架台に袋を取り付けた態様を示した模式的斜視図である。
【図７】図７は、“複数の袋設置空間態様”の医療・介護用架台（連結部分無し）を示した模式的斜視図である。
【図８】図８は、“複数の袋設置空間態様”の医療・介護用架台（透明架台）を示した模式的斜視図である。
【図９】図９は、“複数の袋設置空間態様”の医療・介護用架台（梁部材有り）を示した模式的斜視図である。
【図１０】図１０は、細長材から構成された医療・介護用架台を示した模式的斜視図である。
【図１１Ａ】図１１Ａは、本発明の使用方法を説明するための模式的斜視図である（単一の袋設置空間）。
【図１１Ｂ】図１１Ｂは、本発明の使用方法を説明するための模式的斜視図である（複数の袋設置空間）。
【図１２】図１２は、医療・介護用袋（特に輸液バック・ボトル収納袋）を医療・介護用架台に取り付ける態様を経時的に示した模式図である。
【図１３】図１３は、医療・介護用袋を示した模式図である（図１３（Ａ）：切欠き開口が設けられた袋、図１３（Ｂ）：切込み部分が設けられた袋）。
【図１４】図１４は、輸液バック・ボトルの形態を示した模式図である（図１４（Ａ）：輸液バック、図１４（Ｂ）：輸液ボトル）。
【図１５】図１５（Ａ）および１５（Ｂ）は、切欠き開口から輸液バック・ボトルの吊下部を露出させる態様を示した模式図である。
【図１６】図１６は、医療・介護用袋の使用時（点滴使用時）の態様を表した模式図である。
【図１７】図１７（Ａ）および１７（Ｂ）は、破断開口から輸液バック・ボトルの吊下部を露出させる態様を示した模式図である。
【図１８】図１８は、医療・介護用袋の使用時（点滴使用時）の態様を表した模式図である。
【図１９】図１９（Ａ）〜１９（Ｆ）は、医療・介護用袋の使用方法における態様を表した模式図である。
【図２０】図２０は、医療・介護用袋を廃棄袋として使用する態様を表した模式図である。
【図２１】図２１は、医療・介護用袋（“双方向収納型の袋”）を示した模式図である
【図２２】図２２（Ａ）〜２２（Ｆ）は、医療・介護用袋の使用方法における態様（“双方向収納型の袋”）を表した模式図である。
【図２３】図２３（Ａ）〜２３（Ｆ）は、医療・介護用袋の使用方法における態様（“双方向収納型の袋”）を表した模式図である。
【図２４】図２４は、二重袋の形態の医療・介護用袋を示した模式図である。
【図２５】図２５は、二重袋の形態の医療・介護用袋を示した模式図である。
【発明を実施するための形態】
【００１６】
添付図面を参照して本発明の一実施態様を詳細に説明する。まず、本発明に係る「医療・介護用架台」を説明し、それに伴って又はその後において、かかる架台の使用方法を説明する。
【００１７】
本明細書で用いる“方向”については次の通り規定する。医療・介護用架台において突出部が設けられている端部側を「上方向」とする一方、その反対方向を「下方向」とし、袋空間規定部材が“相互に対向する方向”を「横方向」または「幅方向」とする。「上下方向」は、医療・介護用架台の高さ方向（鉛直方向）に相当し得、「横方向」／「幅方向」は、医療・介護用架台の水平方向に相当し得る。また、医療・介護用架台に共に用いられる“袋”に関する方向についていえば、袋への収納時に被収納物と袋との相対的な位置関係が変化する方向（即ち、被収納物を袋内部へと収納する際に被収納物を移動させる方向）を「丈方向」とし、それに直交する方向を「幅方向」とする。１つの典型的な袋でいえば、袋の“長手方向”が「丈方向」に相当し、その袋の“短手方向”が「幅方向」に相当する。
【００１８】
≪本発明の医療・介護用架台≫
図１に、本発明に係る「医療・介護用架台１００」の外観を示す。医療・介護用架台１００は、医療・介護用途に用いられる用具である。従って、本発明の架台１００は、主として医療分野または介護分野で用いられる。本発明にいう「医療・介護用途」とは、広義には、医療分野、介護分野またはそれに類する分野で使用されることを意味しており、狭義には、医療分野および介護分野のみならず、在宅治療分野および在宅介護などで使用される架台を意味している。ちなみに、医療分野と介護分野とは互いに明確に区別できず一方が他方を包含する場合も考えられるものの、例えば特に医療分野に特化した場合、本発明の架台は“医療用架台”と称すことができ、その一方、特に介護分野に特化した場合、本発明の架台は“介護用架台”と称すことができる。
【００１９】
また、医療・介護用架台における“架台”といった用語は、特に、袋のための架台であることを意味している。より具体的には、本発明の“架台”は、それに取り付けらた袋を所望状態に保持または支持しておくことができる保持台・支持台を意味している。
【００２０】
本発明の医療・介護用架台１００は、図１に示すように、袋空間規定部材５０を有して成る。袋空間規定部材５０は、図示するように、相互対向した部分５１,５２を備えており、対向部分５１と５２との間に袋設置空間５５が規定される。つまり、袋空間規定部材５０は、袋設置空間５５が間に規定されるように相互対向した部分５１,５２を備えている。袋空間規定部材５０の材質自体は、特に限定されず、樹脂材、金属材およびセラミック材から成る群から選択される少なくとも１種であってよい。
【００２１】
本明細書において「袋設置空間」とは、架台使用時にて対象となる袋が配置されるための空間を実質的に意味している。したがって、本発明の医療・介護用架台１００に設けられる袋設置空間５０は、少なくとも対象となる袋を配置できる体積・寸法を有している（図２に示す架台使用時の態様を参考のこと）。図２に示す態様から分かるように、好ましくは、袋設置空間５０は袋を開口保持できる体積・寸法を有している。
【００２２】
相互対向した部分５１,５２は、図示されるように、実質的に同一形態を有することが好ましい。つまり、相互対向した部分の一方５１と他方５２とは、実質的に同じ形状を有することが好ましい。これにより、それらの間にて袋設置空間５０がより好適に規定される。
【００２３】
本発明の医療・介護用架台１００では、袋空間規定部材５０に互いに突出部５８が設けられており、かかる突出部５８が医療・介護用袋のための係合部を成している。より具体的には、袋空間規定部材５０の上端５０Ａにおいて局所的に突き出た形態を有する突出部５８が、医療・介護用袋のための係合部を成している。架台使用時においては対象となる袋が突出部５８と直接的に係わり合うことになる（図２に示す架台使用時の態様を参考のこと）。
【００２４】
突出部５８は、袋空間規定部材５０の少なくとも２箇所設けられていることが好ましい。特に、相互対向した部分の一方５１と他方５２との双方に突出部５８がそれぞれ設けられていることが好ましい（図１参照）。これにより、架台使用時にて対象となる袋２００を一方および他方の突出部５８にそれぞれ係合させることができ、袋をより好適に開口保持できる（図２参照）。
【００２５】
より好ましくは、双方に設けられた突出部が互いに対向した位置関係を有している。つまり、図示するように、対を成すように設けられる突出部５８は、互いに対向していることが好ましい。ここでいう「互いに対向した位置関係」とは、相互対向した部分の一方５１に設けられた突出部５８と、他方５２に設けられた突出部５８とが少なくとも互いに同じ高さレベルにあることを意味している。ある好ましい態様では、相互対向した部分の一方５１における上端ポイントと、相互対向した部分の他方５２における上端ポイントとが実質的に同じとなっている。それゆえ、架台の奥行き方向（図１中の“ａ方向”）に略同じ位置にて対を成すように突出部５８が設けられている。
【００２６】
突出部が互いに対向した位置関係を有する場合では、袋の開口状態をより好適に保持することができ、特に袋の開口をより大きく保持することが可能となる。それゆえ、輸液バック・ボトルの如くの比較的大きな被収納物であっても、それをスムーズに袋に収めることができる。また、そのように袋の開口がより大きく保持されると、抗がん剤が付着している虞がある輸液バック・ボトルや医療従事者の手などが袋外面に接することなく袋収納を実施でき、より確実な曝露防止を図ることができる。
【００２７】
本発明の医療・介護用架台１００は、好ましくは全体として略鉛直面内で延在する形態を有している。図示するように、医療・介護用架台１００では、袋空間規定部材５０が略鉛直面内で延在していることが好ましい。特に、相互対向した部分の一方５１と他方５２との双方が略鉛直面内で延在していることが好ましい。これは、袋空間規定部材５０が土台部材５９とそれに接合された相互対向した部分５１,５２とから構成される場合、土台部材５９が略水平面内で延在する一方、相互対向した部分５１,５２がそれと略直交するように延在していることを意味している。
【００２８】
このように略鉛直面内で延在する形態を有する医療・介護用架台１００は、それに取り付けられた袋２００をより好適に垂下させることができ（図２参照）、スムーズな袋収納に寄与する。つまり、図２に示すように、本発明の医療・介護用架台１００が“略鉛直立ち”の形態となるので、その上端の突出部５８に取り付けられた袋２００は、その内部空間を広めた状態を取り易くなる。かかる観点でいえば、“略鉛直立ち”の医療・介護用架台１００は、袋空間規定部材５０につき鉛直方向寸法が水平方向寸法よりも大きいことが好ましい（図２参照）。特に医療用途に用いる袋は、袋丈寸法が袋幅方向よりも大きい場合が多いので、医療・介護用袋の開口保持に好適となるように鉛直方向寸法が水平方向寸法よりも大きい袋空間規定部材５０が好ましい（例えば、鉛直方向寸法が水平方向寸法の２倍以上、好ましくは３倍以上、より好ましくは４倍以上であってよい。上限は特に制限はないが、１つ例示すると鉛直方向寸法が水平方向寸法の１０倍以下であってよい）。鉛直方向寸法が水平方向寸法よりも大きい袋空間規定部材を備えた医療・介護用架台１００は、特に細長く鉛直方向に延在する形態を有している。後述する「輸液バック・ボトル収納袋２００’」は、袋丈寸法が袋幅寸法よりも通常大きいので、そのような袋は、細長く鉛直方向に延在する医療・介護用架台で使用するのに特に適しているといえる。
【００２９】
本発明は種々の態様でもって具現化され得る。これについて例えば以下の態様が考えられる。
【００３０】
（突出部の形状）
本発明の医療・介護用架台では突出部５８は、医療・介護用袋のための係合部となっている。つまり、本発明の医療・介護用架台１００が使用される際、突出部５８は袋２００の一部との係合によって袋２００を袋設置空間５５に開口保持するのに資する。
【００３１】
かかる突出部５８は医療・介護用袋のための係合部として適当な形状を有している。好ましくは、突出部５８の少なくとも一部に略円弧形を含んでいる。これは、突出部５８の輪郭形状の少なくとも一部が略円弧形となっていることを意味している。本明細書では「略円弧形」は、完全な真円の円弧形状のみならず、真円でないもののそれに類する形状の弧（例えば楕円の弧など）も含むものとして使用している。ある好適な１つの態様では、図３（ａ）に示すように突出部５８の輪郭が円弧形状を有するようになっている。かかる場合、突出部５８がその幅寸法を漸次大きくする形状ゆえ、突出部５８に袋の一部を係合させ易くなる一方、一旦係合させた袋の一部を突出部５８から外し易くなる。例えば図３の上側に示すように袋２００についてその開口端部２１０を部分的に折り返すようにして突出部５８に引っ掛けて袋を取り付ける場合、過度に抵抗が生じずにスムーズな袋取付けを実施できると共に、一旦取り付けた袋を突出部５８からスムーズに取り外すこともできる。
【００３２】
突出部５８の形状は略円弧形状に限らず、例えば図３（ｂ）および３（ｃ）に示すように、略矩形状であってもよい。つまり、突出部５８の少なくとも一部に略矩形を含んでいてよい。これは、突出部５８の輪郭形状の少なくとも一部が略矩形となっていることを意味している。本明細書では「略矩形」は、完全な矩形のみならず、矩形でないもののそれに類する形状（例えば正四角形や台形などの形状）も含むものとして使用している。図３（ｂ）のような略矩形状の突出部５８の場合、医療・介護用架台１００に取り付けられる袋をより張った開口状態にし易くなる。医療・介護用架台１００に取り付けた袋と略矩形状の突出部５８と上エッジ５８Ａとの接触を比較的大きくできるからである。かかる観点でいえば、図３（ｃ）のようなより程度の大きい矩形（高さ寸法に対する横寸法の比がより大きくなった矩形）は、突出部５８と上エッジ５８Ａとの接触を更に大きくすることができる。
【００３３】
突出部５８の個数は、袋空間規定部材５０の相互対向した部分の一方５１と他方５２の各々に１つである必要がなく、２つ以上であってもよい。図３（ｄ）には、相互対向した部分の一方５１と他方５２の各々に２つの突出部５８を設けた態様を示している。このように複数の突出部が「一方５１と他方５２」の各々に設けられることによっても、医療・介護用架台１００に取り付けられる袋をより張った開口状態にし易くなる。また、そのような複数の突出部５８の設置位置を変えることで袋の開口の程度を適宜調整できる（典型的な例でいえば、突出部同士の離隔距離を大きくすると、より大きな開口状態にすることができ、また、突出部同士の離隔距離を小さくすると、より小さな開口状態にできたりする）。
【００３４】
（一体成形品）
本発明に係る医療・介護用架台１００は一体形成品であってよい。かかる場合、袋空間規定部材５０が一体形成品であってよく、その相互対向した部分の一方５１と他方５２とが一体化していることが好ましい。
【００３５】
本明細書でいう「一体形成されている」とは、袋空間規定部材５０が複数のパーツを組み合わせた組合せ体ではなく、実質的に単一パーツから成っていることを意味している。相互対向した部分の一方５１と他方５２とが一体形成されている場合では、袋空間規定部材５０の構造強度を高めることができる。また、一体形成品は部材同士の継ぎ目が無いので錆・腐食や変色などの劣化起点を減らすことができ、袋空間規定部材５０の長期安定性をより向上させることができる。一体形成されている場合、図４に示すように、相互対向した部分の一方５１と他方５２との間を連結する連結部分５７がそれらの部分（一方５１および他方５２）と一体化している形態であってもよい。
【００３６】
ある好適な１つの態様では、袋空間規定部材５０が一体成形物であってよく、例えば樹脂一体成形体であってよい。樹脂一体成形体は、構造強度および/または長期安定性の点でより好ましいだけでなく、軽量化の点でより好ましい。つまり、樹脂材に起因して軽くて丈夫な袋空間規定部材５０とすることができる。なお、図４に示すように、袋空間規定部材５０が土台部材５９とそれに接合された「相互対向した部分５１,５２」とから構成される場合、相互対向した部分５１,５２と土台部材５９とが一体形成（例えば一体樹脂成形）されたものであってよく、あるいは、相互対向した部分５１,５２のみが一体形成（例えば一体樹脂成形）されて、その一体形成品（一体樹脂成形品）が土台部材５９と結合したものであってもよい。
【００３７】
（複数の袋設置空間態様）
本発明に係る医療・介護用架台１００は、単一の袋設置空間を有する態様のみならず、複数の袋設置空間を有する態様であってもよい。例えば、医療・介護用架台１００が図５に示すような形態を有していてもよい。図５の医療・介護用架台１００では、袋設置空間５５が少なくとも２つ横並びで規定されるように、相互対向した部分５１,５２の一方または他方を共通させて袋空間規定部材５０が並列的に複数配置されている。
【００３８】
かかる“複数の袋設置空間態様”では、図６に示すように、１つの医療・介護用架台１００に複数の袋を並列的に取り付けることができ、袋収納の効率化を図ることができる。また、図５および図６の態様から分かるように、医療・介護用架台１００が全体として幅広い寸法を有することになり、医療・介護用架台１００の安定性が増すことになる。つまり、医療・介護用架台１００に袋を取り付ける際には医療・介護用架台１００に外力が及ぼされ得るところ、過度に大きい外力が働くと医療・介護用架台１００が転倒する虞があるが、“複数の袋設置空間態様”ではそのような虞を減じることができる。
【００３９】
図５および図６に示す態様では、複数の袋設置空間５５が医療・介護用架台１００の幅寸法方向（水平方向）に隣接して設けられ、複数の袋空間規定部材５０がその幅寸法方向（水平方向）に沿って配置されている。図示する態様の如く、袋空間規定部材５０の相互対向した部分の一方５１または他方５２は、隣接する別の袋空間規定部材５０の一方または他方と共通していてよい。
【００４０】
“複数の袋設置空間態様”の場合、上述したように架台全体として安定性が増すので、例えば図７に示すように、袋空間規定部材５０の相互対向した部分５１,５２間をつなぐ連結部分５７（図４参照）が無くてもよく、架台の底部に相当する土台部材５９のみでそれらが互いに連結されていてもよい。かかる場合、図７に示す態様から分かるように、紙面手前のみならず、紙面奥側からも袋を袋設置空間５５に設置・位置付けることができるので、使用時の操作性が向上する効果が奏される。
【００４１】
また、そのような使用時の操作性の点でいえば、医療・介護用架台１００は透明特性を有していてよい。つまり、医療・介護用架台１００の袋空間規定部材５０が実質的に透明材質から成るものであってよい。これにより、使用者が架台の外側から袋設置空間５５の内部を把握できるので、より効率良く医療・介護用架台１００への袋の取付け・取外しを行うことができる。図８には、複数の袋設置空間を有する医療・介護用架台１００が透明となった態様を示している。このような図８の“複数配置の透明態様”では、並列的にそれぞれの袋設置空間５５に設けられた袋に対して収納を行うことができるので、収納後などにおいて被収納物の取違いなどの誤判断をより効果的に防止できるともいえる。
【００４２】
なお、図７に示す“複数の袋設置空間態様”の医療・介護用架台１００は、上述したように使用時の操作性が向上し得るものの、構造強度の向上をより重視する場合では、図９に示すように梁部材６０を付加的に設けてもよい。つまり、例えば袋空間規定部材５０の背面側にて複数の対向部材５１,５２を橋渡しする梁部材６０が設けられていてもよい。
【００４３】
（板材の態様）
本発明に係る医療・介護用架台１００は、その袋空間規定部材５０が“板材”から成るものであってよい。つまり、図１および図５に示すように、特に袋空間規定部材５０の相互対向した部分５１,５２が板状の中実部材から成っていてよい。このように袋空間規定部材５０が板材から成る場合、医療・介護用架台１００の構造強度をより高くすることができる。
【００４４】
また、袋空間規定部材５０が板材から構成された医療・介護用架台１００は、突出部５８を比較的容易に供すことができる。例えば、袋空間規定部材が板材から成り、かかる板材の局所的な寸法増加により突出部が供されていてよい。これは、図１および図５に示すように、袋空間規定部材５０の相互対向した部分５１,５２の高さ方向寸法が一部分だけ増すことで突出部５８が設けられていることを意味している。
【００４５】
板材の局所的な寸法増加で突出部が供される態様では、袋空間規定部材５０の樹脂成形により「相互対向した部分５１,５２」を得るに際して「突出部５８」を一体的に同時に設けることができる。よって、突出部５８の設置が容易となるだけでなく、強度の点でも好ましい突出部５８となり得る。
【００４６】
（細長材の態様）
本発明に係る医療・介護用架台１００は、その袋空間規定部材５０が“細長材”から成るものであってもよい。つまり、図１０に示すように、特に袋空間規定部材５０の相互対向した部分５１,５２の輪郭部が細長材から成る一方、その内側が実質的に中空と成っていてよい。このように袋空間規定部材５０が細長材から成る場合、医療・介護用架台１００を全体として軽量化することができる。
【００４７】
また、袋空間規定部材５０が細長材７０から成る医療・介護用架台１００であっても、突出部５８を比較的容易に供することができる。例えば、袋空間規定部材が細長材から成り、その細長材の局所的な湾曲により突出部が供されていてよい。これは、図１０に示すように、袋空間規定部材５０の相互対向した部分５１,５２の輪郭が細長材７０で形造られている場合、同様に突出部５８の輪郭も細長材７０で形造られていることを意味している。
【００４８】
本明細書において「細長材」は、全体的として細長い長尺形態を有する部材を実質的に意味している。細長材は、例えば金属製であってよく、“金属太線”または“金属細線”の形態を有していてよい。“金属細線”を１つ例示すると、ワイヤー線を挙げることができる。
【００４９】
≪本発明の使用方法≫
次に、本発明の使用方法について説明する。かかる本発明は、上述した医療・介護用架台の使用方法に関する。
【００５０】
本発明の使用方法は、図１１Ａおよび１１Ｂに示されるように、医療・介護用袋２００の開口端２１０を突出部５８に対して係合させて医療用袋２００の袋設置空間５５に配置し、医療・介護用袋２００を開いた状態とすることを特徴とする。つまり、本発明の方法では医療・介護用袋２００を開いた状態を維持するために、医療・介護用袋２００の開口端２１０を突出部５８に係合させる操作を行う。
【００５１】
このように医療・介護用袋２００の開口状態が維持されると、スムーズな袋収納を実施することができる。つまり、医療・介護廃棄物や使用済みの医療・介護器具などの医療・介護関連物を袋に好適に収めることができる。架台１００に袋を一旦取り付けて開口させた後では、使用者は両手で医療・介護関連物を扱うことができるからであり、それゆえ、安全かつ的確に医療・介護関連物を袋に収めることができる。なお、ここでいう「医療・介護用袋」とは、医療および／または介護用途で用いられる袋である。特に医療分野に特化した場合、かかる袋は“医療用袋”と称すことができ、その一方、特に介護分野に特化した場合、袋は“介護用袋”と称すことができる。
【００５２】
本発明の使用方法は、抗がん剤が充填された輸液バック・ボトルを扱うに際に特に有意となる。抗がん剤が仕込まれた輸液バック・ボトルは、その外面に抗がん剤が付着している虞があり、それがゆえ医療従事者・患者らが抗がん剤に曝される虞がある。また、輸液バック・ボトルによる点滴を実施した後は、その輸液バック・ボトルを廃棄する必要がある。この点、医療用架台を用いて医療用袋２００の開口状態を維持できると、輸液バック・ボトルや使用者が袋外面に触れずに袋に収めることができ、より確実な曝露防止を図ることができる。
【００５３】
図１２（Ａ）〜（Ｄ）を参照しながら、一実施態様に係る本発明の使用方法を経時的に説明する。かかる一実施態様は、医療用袋が輸液バック・ボトル用袋であって、開いた状態の医療用袋に対して輸液バック・ボトルを収納する実施態様に関する。
【００５４】
まず、図１２（Ａ）に示すように、輸液バック・ボトル用袋の医療用袋２００’を用意すると共に、医療用架台１００を用意する。次いで、図１２（Ａ）および１２（Ｂ）に示すように、医療用袋２００’が袋設置空間５５に位置付けられるように、医療用袋２００’を医療用架台１００に取り付ける。この際、図１２（Ｂ）に示すように、医療用袋２００’の開口端部２１０’を折り返して医療用袋２００’を突出部５８に引っ掛けることが好ましい。より具体的には、開口端部の折り返しされた部分と袋本体との間に突出部５８が位置付けられるように医療用袋２００’を突出部５８に引っ掛けて垂下させることが好ましい。
【００５５】
図示する態様から分かるように、医療用袋２００’を突出部５８に引っ掛けると、医療用袋２００の開口状態を好適に維持することができる。それゆえ、図１２（Ｃ）に示すように、例えば、抗がん剤が仕込まれた輸液バック・ボトル３００を医療用袋２００’にスムーズに収納することができる。つまり、袋開口のために手がとられないので、輸液バック・ボトル３００や使用者が袋外面に触れずに袋収納を好適に実施することができ、より確実な曝露防止を図ることができる。
【００５６】
図１２（Ｄ）に示されるように、輸液バック・ボトル用袋が収納された医療用袋２００’は、その開口を閉じた後、実際の使用に供する現場にまで運搬されることになる。例えば、病院の薬剤部で袋に収納した輸液バック・ボトル３００をがん患者のベッドサイドまで運搬する。この際、輸液バック・ボトル３００は袋２００’によって外界から遮断された状態にあるので、輸液バック・ボトルを扱う医療従事者や患者が抗がん剤に曝される危険が減じられている。なお、輸液バック・ボトル３００は医療用袋２００’に収められた状態で使用することもできる。更には、点滴の後も袋２００’に収めた状態を維持することができ、袋２００’をそのまま廃棄袋としても用いることができる。
【００５７】
（医療・介護用袋２００’）
本発明の医療・介護用架台に共に用いるのに好適な医療・介護用袋２００’について説明しておく。特に輸液バック・ボトルに対して用いるのに好適であって、それゆえ、医療・介護用袋２００’が特に医療用袋に相当する態様を例にとって説明しておく。
【００５８】
図１３にかかる医療用袋２００’の外観を示す。医療用袋２００’は、特に輸液バック・ボトルに対して用いられるので、「輸液バック・ボトルのための袋（輸液バック・ボトル収納袋）」と称すことができる。図１４には、袋２００’と共に使用され得る「輸液バック・ボトル３００」の外観を示す。輸液バック・ボトル３００は、医療分野または介護分野などで用いられる輸液バックまたは輸液ボトルである。図１４の態様でいうと、輸液バック３００Ａが図１４（Ａ）に示されており、輸液ボトル３００Ｂが図１４（Ｂ）に示されている。ここで用いる『輸液バック・ボトル』といった表現は、医療分野または介護分野などで用いられる輸液バックまたは輸液ボトルのことを指している。それゆえ、本明細書における『輸液バック・ボトル収納袋』とは、かかる輸液バックまたは輸液ボトルを少なくとも収納・収容するための袋のことを実質的に意味している。
【００５９】
医療用袋２００’は、互いに対向する第１端部１０’と第２端部２０’とを有している。好ましくは、袋の丈方向において互いに対向する第１端部１０’と第２端部２０’とを有している。第１端部１０’は開口端であり、第２端部２０’は閉鎖端である。つまり、袋２００’は、開口端として設けられた第１端部１０’、および、その第１端部と対向するように閉鎖端として設けられた第２端部２０’を有している。
【００６０】
袋に関して用いる「開口端」とは、全体として開口した形態を有する袋端部のことを意味している。換言すれば、袋の幅方向に沿うように全体的に開口した形態を有する袋の端部分が「開口端」である。一方、袋に関して用いる「閉鎖端」とは、全体として閉じた形態を有する袋端部のことを意味している。換言すれば、袋の幅方向に沿うように全体的に閉じた形態を有する袋の端部分が「閉鎖端」である。
【００６１】
袋２００’において第１端部１０’は開口端であり、それゆえ、全体として開口した形態を有している。第１端部１０’は袋端エッジ（開口側の袋端エッジ）から丈方向にある程度の幅を有する部分といえ、袋丈寸法の例えば３％〜２０％（一例として５％〜１５％）に相当する幅を有している。同様にして、第２端部２０’は閉鎖端であり、それゆえ、全体として閉じた形態を有している。第２端部２０’も袋端エッジ（閉鎖側の袋端エッジ）から丈方向にある程度の幅を有する部分といえ、袋丈寸法の例えば３％〜２０％（一例として５％〜１５％）に相当する幅を有している。
【００６２】
第１端部１０’においては第１密閉機構１５’が設けられている。同様にして、第２端部２０’においては第２密閉機構２５’が設けられている。図示するように、第１密閉機構１５’は、袋端エッジ（開口側の袋端エッジ）と実質的に平行となるように袋の幅方向に延在していることが好ましい。同様にして、第２密閉機構２５’は、袋端エッジ（閉鎖側の袋端エッジ）と実質的に平行となるように袋の幅方向に延在していることが好ましい。つまり、ある好適な態様の袋２００’では、第１密閉機構１５’と第２密閉機構２５’とが相互に略平行な関係（延在関係）を有していることが好ましい。
【００６３】
袋に関して用いる「密閉機構」とは、袋内部と袋外部とを遮断することができる機構を指している。具体的には、密閉機構は、それを機能させて“閉状態”にすると、袋内部と袋外部（外界雰囲気）との間を遮断できる一方（即ち、袋内部を袋外部から遮断できる一方）、“開状態”にすると、袋内部と袋外部（外界雰囲気）との間を連通させることができる。
【００６４】
第１密閉機構１５’および第２密閉機構２５’の各々は、例えば雄型嵌合部と雌型嵌合部とから成るジッパーであってよい。かかるジッパーは開口端を自在に開閉できる点で望ましい。即ち、雄型嵌合部と雌型嵌合部とを相互に噛み合わせると“閉状態”にできる一方、その噛み合わせを解除すると“開状態”にすることができる。また、それに限定されず、第１密閉機構１５’および第２密閉機構２５’の各々はスライダー式チャック、線ファスナーまたは面ファスナーなどの形態を有するものであってもよい。いずれの形態であっても、密閉機構によって、上記の“閉状態”と“開状態”とを切り替えることができるように構成されていることが好ましい。
【００６５】
袋２００’では、切欠き開口３０’（図１３（Ａ））または切込み部分４０’（図１３（Ｂ））が第２端部２０’に設けられている。つまり、図１３（Ａ）および１３（Ｂ）に示すように「袋の一部を切欠いた形態の切欠き開口３０’」または「袋に対して断続的に線状に延在するように切り込みを入れられた形態の切込み部分４０’」が閉鎖側の袋端エッジに設けられている。
【００６６】
より具体的には、切欠き開口３０’は、袋の閉鎖側の袋端エッジを部分的に切欠くことで形成された形態を有しており、袋幅方向にて略中央又は中央に位置付けられていることが好ましい（図１３（Ａ）参照）。かかる切欠き開口部３０’は、図１５に示すように、輸液バック・ボトル３００の吊下部３１０を袋内部から袋外部へと露出させるのに供し得る。つまり、袋の使用時において、図１６に示すように、切欠き開口３０’を介して吊下部３１０のみが袋２００’から露出するように輸液バック・ボトル３００を吊り下げることができ、好適な点滴が可能となる。あくまでも一例にすぎないが、切欠き開口部３０’の形状（特に平面視における形状）は、矩形状もしくは四角形状であってよいし（図１３（Ａ）および１３（Ｂ）参照）、あるいは、半円形状や半楕円形状もしくは半円形状・半楕円形状と矩形状・四角形状とを組み合わせたような形状であってもよい。尚、ここでいう「吊下部」とは、輸液バック・ボトル３００を吊り下げるために直接供する部分を指している。例えば、「吊下部」は、フック形状部に係止・係合できるような開口形態を有していてよい。
【００６７】
このように袋の使用時にて輸液バック・ボトル３００の吊下部３１０が好適に露出できるように、切欠き開口３０’のサイズは、輸液バック・ボトル３００の吊下部３１０のサイズよりも大きくなっていることが好ましい（図１５（Ａ）参照）。図１５（Ａ）に示す態様から分かるように、「切欠き開口のサイズが輸液バック・ボトルの吊下部のサイズよりも大きい」とは、切欠き開口３０’の幅方向寸法Ｗ切欠き開口（特にその最大幅寸法）が吊下部３１０の幅寸法ｗ吊下部（特にその最大幅寸法）以上となっていることを実質的に意味している。あるいは、別の観点でいえば、切欠き開口３０’の幅方向寸法Ｗ切欠き開口（特にその最大幅寸法）が、吊下部３１０におけるフック穴の中空部分３１０ａの寸法（特にその幅方向の最大寸法）よりも大きくなっていると捉えてもよい。
【００６８】
一方、切込み部分４０’は、例えば“ミシン目”のような形態を有しており、袋幅方向にて略中央に位置付けられていることが好ましい（図１３（Ｂ）参照）。つまり、切込みが断続的な形態となっていてよい。図示するように、切込み部分４０’は、好ましくは閉鎖側の袋端エッジから丈方向に線状に延在している。切込み部分４０’は、その部分の破断によって破断開口４５’をもたらすことが好ましい（図１３Ｂ参照）。つまり、切込み部分４０’に外力を加えると、その部分が引き裂かれて開口部４５’が形成されるようになっている。切欠き開口３０’と同様、破断開口４５’は、輸液バック・ボトル３００の吊下部３１０を袋内部から袋外部へと露出させるための開口として用いることができる（図１７参照）。つまり、袋の使用時においては、図１８に示すように、破断開口４５’を介して吊下部３１０のみが袋２００’から露出するように輸液バック・ボトル３００を吊り下げることができ、好適な点滴が可能となる。
【００６９】
切欠き開口と同様にして、袋の使用時にて輸液バック・ボトル３００の吊下部３１０が露出できるように、破断開口４５’のサイズは、吊下部３１０のサイズよりも大きくなっていることが好ましい（図１７（Ａ）参照）。図１７（Ａ）に示す態様から分かるように、「破断開口のサイズが輸液バック・ボトルの吊下部のサイズよりも大きい」とは、破断開口４５’（特に最大限に大きくなるように拡げた状態の“破断開口”）の幅方向寸法Ｗ破断開口（特にその最大幅寸法）が吊下部３１０の幅寸法ｗ吊下部（特にその最大幅寸法）以上となっていることを実質的に意味している。あるいは、別の観点でいえば、破断開口４５’の幅方向寸法Ｗ破断開口（特にその最大幅寸法）が、吊下部３１０におけるフック部の中空部分３１０ａの寸法（特にその幅方向の最大寸法）よりも大きくなっていると捉えてもよい。
【００７０】
袋２００’において、「切欠き開口３０’または切込み部分４０’」と「第２密閉機構２５’」との相対的な位置関係でいうと、切欠き開口３０’または切込み部分４０’に対して相対的に内側となる位置に第２密閉機構２５’が設けられていることが好ましい。つまり、袋の閉鎖側の袋端エッジに設けられた切欠き開口３０’または切込み部分４０’よりも丈方向の袋内部側に切欠き開口３０’または切込み部分４０’が位置付けられていることが好ましい（図１３など参照）。このような位置関係であるがゆえ、第２密閉機構２５’を機能させて袋の封止・再封止が可能となる。つまり、「切欠き開口３０’」または「破断開口４５’」は、袋内部と袋外部との連通部分に相当するところ、その部分よりも内側に位置する第２密閉機構２５’で連通状態を断つことができ、使用に際して袋内部の外界に対する密閉が可能となる。
【００７１】
袋の材質についていえば、例えばプラスチック材質であってよい。つまり。袋はプラスチック・フィルムから構成されていてよい。フィルム厚さは、特に制限されるわけではないが、好ましくは５〜３０００μｍであり、より好ましくは１０〜１０００μｍであり、更に好ましくは１０〜５００μｍである。袋のフィルム厚さが５μｍ未満であると袋体の強度的に問題が生じ得る一方、３０００μｍを超えると“十分な可撓性”が損なわれ得る。また、袋体を成すフィルムは、遮光フィルムであることが好ましい。特に輸液バック・ボトル内の輸液を好適に保護すべく、袋体を成すフィルムが紫外線遮断フィルムとなっていることが好ましい。特に限定されるものではないが、上記プラスチック・フィルム等に紫外線吸収剤を混ぜ込んでよく、あるいは、上記プラスチック・フィルム等の表面に紫外線カット材から構成された層を設けてもよい。かかる紫外線吸収剤または紫外線カット材は、輸液バック・ボトルの当業者にとって知られているものを使用してよい。
【００７２】
袋２００’は「輸液バック・ボトルのための袋」であり、輸液バック・ボトル３００と共に使用される。この点、袋２００’は、輸液バック・ボトルを収納または運搬するための収納袋または運搬袋として用いられるだけでなく、輸液バック・ボトルを廃棄するための廃棄袋としても用いられる。より具体的には、図１９に示すように、袋２００’に輸液バック・ボトル３００を収める態様では、袋２００’が収納袋となり得る。また、そのように輸液バック・ボトル３００が袋２００’に収められた状態を維持して輸液バック・ボトル３００を運ぶことなどもできるので、袋２００’は運搬袋にもなり得る。更には、図１９に示すように、輸液バック・ボトル３００による点滴後にて輸液バック・ボトル３００が袋２００’に収められた状態を維持して袋２００’を輸液バック・ボトル３００と共に廃棄できるので、かかる態様では袋２００’が廃棄袋にもなり得る。
【００７３】
袋２００’を収納袋または運搬袋として用いるに際しては、袋２００’の第１密閉機構１５’および第２密閉機構２５’をそれぞれ機能させて袋２００’を密閉し、袋２００’の封止を行うことが好ましい。これにより、袋２００’に収められた輸液バック・ボトル３００が外界と遮断され、輸液バック・ボトル３００を好適に安全に収納または運搬できる。換言すれば、袋２００’が輸液バック・ボトル３００の収納袋または運搬袋として用いられるからこそ、袋２００’には開口端の第１端部１０’とそれと対向する閉鎖端の第２端部２０’にそれぞれ第１密閉機構１５’および第２密閉機構２５’が設けられているといえる。
【００７４】
同様にして、袋２００’を廃棄袋として用いるに際しては、袋２００’の第１密閉機構１５’および第２密閉機構２５’をそれぞれ機能させて袋２００’を密閉し、袋２００’の再封止を行うことが好ましい。つまり、輸液バック・ボトルによる点滴に際して一旦封止を解除した袋に対して再度の密閉処理を行う。これにより、使用済みの輸液バック・ボトル３００が外界と遮断され、使用済みの輸液バック・ボトル３００を袋２００’と共に好適に安全に廃棄することができる。換言すれば、袋２００’が輸液バック・ボトル３００の廃棄袋として用いられるからこそ、袋２００’には開口端の第１端部１０’とそれと対向する閉鎖端の第２端部２０’にそれぞれ第１密閉機構１５’および第２密閉機構２５’が設けられているといえる。
【００７５】
廃棄袋として用いる際、図１９および図２０に示すように、輸液バック・ボトル３００に接続される輸液デバイス３５０を袋内部に収納することが好ましい。かかる場合、第１密閉機構１５’と第２密閉機構２５’との内側領域に形成される袋内容積が、輸液バック・ボトル３００と、その輸液バック・ボトルに接続される輸液デバイス３５０とを少なくとも収納できる容積を有することが好ましい。つまり、袋の封止を行った際に、その袋の密閉空間が有し得る体積（好ましくは、最大体積）は、輸液バック・ボトル３００の体積および輸液デバイス３５０の体積を足し合わせた総体積よりも大きくなっていることが好ましい。尚、ここでいう「第１密閉機構と第２密閉機構との内側領域に形成される袋内容積」とは、図１９（Ｆ）、図２０および図２２（Ｆ）などに示されるように、第１密閉機構１５’と第２密閉機構２５’との内側に形成される閉空間のうち、最大となる閉空間のことを指している。即ち、第１密閉機構１５’と第２密閉機構２５’との内側に形成される閉空間の体積は、対向する袋フィルム面の離隔程度などによって変わり得るものであるが、そのような変わり得る体積のなかで最大の体積をここでは指している。
【００７６】
あくまでも例示にすぎないが、そのような袋内容積に供すべく、袋２００’では袋丈寸法が袋幅寸法の２倍以上、好ましくは１．５倍以上（例えば１．６倍以上）になっていてよい（その場合の上限値としては特に制限されるわけではないが、袋丈寸法が袋幅寸法の３倍以下、好ましくは２．５倍以下、例えば２．２倍以下であってよい）。あるいは、その逆で、袋２００’では袋幅寸法が袋丈寸法の２倍以上、好ましくは１．５倍以上になっていてよい（同様にして、その場合の上限値としては特に制限されるわけではないが、袋幅寸法が袋丈寸法の３倍以下、好ましくは２．５倍以下であってよい）。
【００７７】
輸液バック・ボトル３００が、がん治療に用いられる抗がん剤バックまたは抗がん剤ボトルの場合、係る袋２００’はがん治療に用いられる袋となる。かかる場合、袋２００’は特に抗がん剤曝露の未然防止に資することになる。具体的には、袋２００’は、抗がん剤バック・ボトルを収納または運搬するための収納袋または運搬袋として用いられるのみならず、抗がん剤バック・ボトルを廃棄するための廃棄袋としても用いられる。抗がん剤バック・ボトルが、その使用前から使用後に至るまで袋２００’に絶えず収められた状態となるので、抗がん剤の曝露防止が図られる。
【００７８】
袋２００’は、第２密閉機構２５’がより内側（袋の丈方向に相対的により袋内側）に位置付けられたものであってよい。このような形態では、第２端部２０’において「切欠き開口３０’または破断開口４５’」の周囲をより撓めることができ、輸液バック・ボトル３００の吊下部３１０を袋内部から袋外部へと露出させやすくなる。これは、輸液バック・ボトルとして、図１４（Ａ）に示すように、吊下部３１０の中空部分３１０ａが外側に突出した形態となっていない輸液バック３００Ａを使用する場合に特にいえることである。かかる場合、吊下部３１０が特に突出していないので、その吊下部３１０を袋内部から袋外部へと一般に露出させにくいものの、「切欠き開口３０’または破断開口４５’」の周囲の袋部分（特に第２端部）が局所的または部分的に撓むので、吊下部３１０の中空部分３１０ａを外部に露出させることができ、結果として輸液バック３００Ａを吊り下げることができる。あくまでも一例であるが、第２密閉機構２５’が第２端部の袋端エッジから袋の丈方向に３０ｍｍ袋内側に設けられていてよい。
【００７９】
第２密閉機構２５’が“より内側に位置付けられた形態”となった袋２００’についていえば、例えば、第１端部における袋端エッジ（開口側の袋端エッジ）と第１密閉機構との離隔寸法は、第２端部における袋端エッジ（閉鎖側の袋端エッジ）と第２密閉機構との離隔寸法と略同一または同一となっている。１つ例示すると、それらの離隔寸法は３０ｍｍであってよい。なお、第２端部における袋端エッジ（第２端部が近位端となった袋端エッジ）と第２密閉機構との離隔寸法が、第１端部における袋端エッジ（第１端部が近位端となった袋端エッジ）と第１密閉機構との離隔寸法よりも大きくてよい。
【００８０】
≪輸液バック・ボトル収納袋の使用方法≫
次に、袋２００’を使用する方法について説明する。この「輸液バック・ボトルのための袋の使用方法」は、輸液バック・ボトルの収納・運搬時のみならず、その廃棄時における袋の取り扱いにも特徴を有する。
【００８１】
図１９および図２０を参照しながら、袋の典型的な使用方法を説明する。特に図１９（Ａ）〜（Ｆ）は、袋の使用時の経時変化の態様を示している。
【００８２】
まず、袋の使用方法の第１操作として、第１端部１０’を介して輸液バック・ボトル３００を袋内部に納める。つまり、図１９（Ａ）および（Ｂ）に示すように、袋２００’の開口端となる第１端部１０’から輸液バック・ボトル３００を収納する。ここで収納される輸液バック・ボトル３００は、例えば、予め点滴液などの輸液が仕込まれた輸液バック・ボトルであってもよい。図示するように、収納された状態において輸液バック・ボトル３００の先端側（輸液仕込み側・輸液供給側）３０５が袋の第１端部１０’に近位する一方、輸液バック・ボトル３００の吊下部側３１０が袋の第２端部２０’に近位する向きとなるように袋２００’の収納を行う。
【００８３】
収納に際しては、第１密閉機構１５’および第２密閉機構２５’をそれぞれ閉状態にして袋の封止を行うことが好ましい。図１９（Ａ）に示すように、第２密閉機構２５’を機能させて予め第２端部２０’を“閉”にして輸液バック・ボトル３００を袋内部に納めてよい。そして、図１９（Ｂ）に示すように、輸液バック・ボトル３００を袋内部に納めた後、第１密閉機構１５’を機能させて第１端部１０’を“閉”にしてよい。尚、かかる第２密閉機構２５’は、輸液バック・ボトル３００の収納後に機能させて“閉”にしてもよい。いずれにせよ、輸液バック・ボトル３００の収納後は、第１端部１０’および第２端部２０’を個々の密閉機構（即ち、第１密閉機構１５’および第２密閉機構２５’）により“閉”にし、袋内部に収められた輸液バック・ボトルを外界から遮断させる封止を行うことが好ましい。
【００８４】
図１９（Ｂ）のように袋２００’に収めた輸液バック・ボトル３００は、その輸液バック・ボトルの実際の使用に供する現場にまで運搬されることになる。例えば、病院の薬剤部で袋に収納した輸液バック・ボトルをがん患者のベッドサイドまで運搬する。この際、輸液バック・ボトルは袋によって外界から遮断された状態にあるので、輸液バック・ボトルを扱う医療従事者や患者が抗がん剤に曝される危険が減じられている。
【００８５】
第１操作に引き続いて、第２操作を実施する。第２操作では、輸液バック・ボトルの実際の使用に供する操作を行う。具体的には、図１９（Ｃ）および１９（Ｄ）に示すように、輸液バック・ボトル３００の使用に際して「切欠き開口３０’」（または切込み部分の破断によって生じる破断開口）を介して輸液バック・ボトル３００の吊下部３１０を袋内部から袋外部へと露出させる。これにより吊下部３１０を利用して輸液バック・ボトル３００を吊り下げる。図示する態様から分かるように、第２端部２０’を第２密閉機構２５’によって“閉”にしていた場合、その状態を解除して、輸液バック・ボトル３００の吊下部３１０を袋内部から袋外部へと露出させることが好ましい。
【００８６】
第２操作に引き続いて、第３操作を実施する。この第３操作では、輸液バック・ボトルによる点滴を行う。具体的には、図１９（Ｅ）に示すように、吊下部３１０を除き輸液バック・ボトル３００が袋２００’に納められた状態を維持して輸液バック・ボトル３００による点滴を行う。図示する態様から分かるように、第１端部１０’が第１密閉機構１５’で“閉”にされていた場合、点滴に先立ってその状態を解除することになる。そして、輸液バック・ボトル３００に対して輸液デバイス３５０を接続する。より具体的には、点滴チューブおよび／または“曝露防止システム”などの接続部品などを含む輸液デバイス３５０を輸液バック・ボトル３００に対して接続する（その際、点滴に供すべく、例えば輸液バック・ボトルのゴム栓などに対する挿入操作などが行われてよい）。
【００８７】
点滴の後は、輸液バック・ボトルの廃棄処理を行う。特に、図１９（Ｆ）および図２０に示すように、輸液バック・ボトル３００を袋２００’に収めた状態を維持し、袋２００’をそのまま廃棄袋として用いる。
【００８８】
より具体的には、廃棄処理に際しては、輸液バック・ボトル３００に接続される輸液デバイス３５０を袋内部に収納することが好ましい。これにより、輸液バック・ボトル３００のみならず、それに接続される輸液デバイス３５０をも一体的に安全に廃棄することができる。また、図示するように、袋２００’を廃棄袋として使用するに際しては、第１密閉機構１５’および第２密閉機構２５’をそれぞれ閉状態にして袋の再封止を行うことが好ましい。これにより、使用済みの輸液バック・ボトル３００および／または輸液デバイス３５０を外界から好適に遮断でき、輸液バック・ボトルを扱う医療従事者や患者が抗がん剤に曝される危険を減じた状態でもって廃棄処理が行える。つまり、好ましくは、廃棄袋として使用するに際して、輸液バック・ボトルに接続される輸液デバイスを袋内部に収納することによって、輸液バック・ボトルのみならず、輸液デバイスをも袋内部に詰め込んだ状態で袋の廃棄が行える。尚、ここでいう「再封止」といった用語は、第１操作で一旦封止を行った場合に鑑みたものであり、かかる第１操作の封止の解除後にて再度封止を行うことを実質的に指している。
【００８９】
上述したような医療用袋は、輸液バック・ボトルの収納方向が逆となっても使用できる。つまり、図１９（Ａ）〜１９（Ｆ）では、輸液バック・ボトル３００の先端側（輸液仕込み側・輸液供給側）３０５が袋の第１端部１０’に近位する一方、輸液バック・ボトル３００の吊下部側３１０が袋の第２端部２０’に近位する向きとなるように袋２００’の収納を行うが、その向きが逆になっても使用できる。換言すれば、この場合、袋が“双方向収納型”となっている。
【００９０】
かかる双方向収納型の袋の場合、図２１に示すように、第１端部１０’における袋端エッジ１１’と第１密閉機構１５’との間に穿孔７０’が設けられていることが好ましい。つまり、第１端部１０’において袋端エッジ１１’と第１密閉機構１５’との間の局所領域に開口部７０’が設けられていることが好ましい。
【００９１】
かかる場合、図２２に示されるように、輸液バック・ボトル３００の先端側（輸液仕込み側・輸液供給側）３０５が袋の第２端部２０’に近位する一方、輸液バック・ボトル３００の吊下部側３１０が袋の第１端部１０’に近位する向きとなるように袋２００’の収納を行うことができる。図示されるように、輸液バック・ボトル３００に取り付けられた輸液デバイス３５０は、「切欠き開口３０’」（または切込み部分の破断によって生じる破断開口）を介して袋外部へと露出させる一方、穿孔７０’を吊下部として利用することで輸液バック・ボトルが収納された袋を吊り下げることができる。このように、「第１端部における袋端エッジと第１密閉機構との間に設けられた穿孔７０’」を吊下部として利用する態様では、双方向収納型の袋がもたらされる。なお、袋の吊り下げがより好適となるように、穿孔７０’は切欠き開口３０’または切込み部分４０’と同一の丈方向軸上にあることが好ましい。例えば、双方とも幅方向の中央に位置していてよく、これによって、輸液バック・ボトルの軸を略鉛直方向に沿ったものとすることができ、袋内で輸液バック・ボトルがより安定化し得る。穿孔７０’の形状は、図２１に示すような円状（特に平面視にて円状）であってよい。
【００９２】
かかる双方向収納型の袋の場合では、袋の胴部のインジケータ表示部（袋使用者のための情報が表示された部分）８０’は“双方向収納”に関連したものであってよい（図２１参照）。例えば、袋を手に取った者がどちらのエッジ端部が上側または下側となってもインジケータ表示部８０’を順方向で読み取れるようになっていてよい。具体的には、インジケータ表示部８０’が２つのサブ・インジケータ表示部８０ａ’,８０ｂ’から構成されており、それらが互いに点対称に配置されていることが好ましい。袋の第２端部２０’が手前側になるように袋を手に取った場合では２つのサブ・インジケータ表示部８０’の一方（８０ａ’）が順方向で読み取れるようになっており、また、その逆に袋の第１端部１０’が手前側になるように袋を手に取った場合では２つのサブ・インジケータ表示部８０’の他方（８０ｂ’）が順方向で読み取れるようになっていることが好ましい。あくまでも一例にすぎないが、袋の第２端部２０’が手前側になるように袋を手に取った場合に順方向で読み取れるように第１端部１０’の近傍に２つのサブ・インジケータ表示部８０’の一方（８０ａ’）が印刷され、かつ、袋の第１端部１０’が手前側になるように袋を手に取った場合に順方向で読み取れるように第２端部２０’の近傍に２つのサブ・インジケータ表示部８０’の他方（８０ｂ’）が印刷されていてよい。
【００９３】
輸液バック・ボトル３００の先端側（輸液仕込み側・輸液供給側）３０５が袋の第２端部２０’に近位する一方、輸液バック・ボトル３００の吊下部側３１０が袋の第１端部１０’に近位する向きとなるように袋２００’の収納を行う場合の使用法について図２２を参照して詳述しておく。
【００９４】
まず、かかる使用方法の第１操作として、第１端部１０’を介して輸液バック・ボトル３００を袋内部に納める。つまり、図２２（Ａ）および（Ｂ）に示すように、袋２００’の開口端となる第１端部１０’から輸液バック・ボトル３００を収納する（収納される輸液バック・ボトル３００は、例えば、予め点滴液などの輸液が仕込まれた輸液バック・ボトルであってもよい）。図示するように、収納された状態において輸液バック・ボトル３００の先端側（輸液仕込み側・輸液供給側）３０５が袋の第２端部２０’に近位する一方、輸液バック・ボトル３００の吊下部側３１０が袋の第１端部１０’に近位する向きとなるように袋２００’の収納を行う。
【００９５】
収納に際しては、第１密閉機構１５’および第２密閉機構２５’をそれぞれ閉状態にして袋の封止を行うことが好ましい。図２２（Ａ）に示すように、第２密閉機構２５’を機能させて予め第２端部２０’を“閉”にして輸液バック・ボトル３００を袋内部に納めてよい。そして、図２２（Ｂ）に示すように、輸液バック・ボトル３００を袋内部に納めた後、第１密閉機構１５’を機能させて第１端部１０’を“閉”にしてよい。尚、かかる第２密閉機構２５’は、輸液バック・ボトル３００の収納後に機能させて“閉”にしてもよい。いずれにせよ、輸液バック・ボトル３００の収納後は、第１端部１０’および第２端部２０’を個々の密閉機構（即ち、第１密閉機構１５’および第２密閉機構２５’）を用いて“閉”にし、袋内部に収められた輸液バック・ボトルを外界から遮断させる封止を行うことが好ましい。
【００９６】
図２２（Ｂ）のように袋２００’に収めた輸液バック・ボトル３００は、その輸液バック・ボトルの実際の使用に供する現場にまで運搬されることになる。例えば、病院の薬剤部で袋に収納した輸液バック・ボトルをがん患者のベッドサイドまで運搬する。この際、輸液バック・ボトルは袋によって外界から遮断された状態にあるので、輸液バック・ボトルを扱う医療従事者や患者が抗がん剤に曝される危険が減じられている。
【００９７】
第１操作に引き続いて、第２操作を実施する。第２操作では、輸液バック・ボトルの実際の使用に供する操作を行う。具体的には、図２２（Ｃ）および２２（Ｄ）に示すように、輸液バック・ボトル３００の使用に際して「切欠き開口３０’」（または切込み部分の破断によって生じる破断開口）を介して、輸液バック・ボトル３００に対して輸液デバイス３５０を接続する。第２端部２０’が第２密閉機構２５’で“閉”にされていた場合、接続に先立ってその状態を解除することになる。図示する態様から分かるように、「切欠き開口３０’」（または切込み部分の破断によって生じる破断開口）を介して、輸液バック・ボトル３００の先端部および／または輸液デバイス３５０が袋の内部から外部へと露出・延在するように、輸液バック・ボトル３００に対して輸液デバイス３５０を接続する。より具体的には、点滴チューブおよび／または“曝露防止システム”などの接続部品などを含む輸液デバイス３５０を輸液バック・ボトル３００に対して接続する（その際、最終的な点滴に供すべく、例えば輸液バック・ボトルのゴム栓などに対する挿入操作などが行われてよい）。
【００９８】
なお、かかる輸液デバイス３５０の接続に際してまたはそれに先立っては、袋の穿孔７０’をスタンドに引っ掛けて、袋を吊るした状態にしてよい。つまり、「第１端部における袋端エッジと第１密閉機構１５’との間に設けられた穿孔７０’」を吊下部として利用して、輸液バック・ボトル３００が収納された袋をスタンドに懸架してよく（図２２（Ｅ）参照）、かかる懸架状態にて輸液バック・ボトル３００に対して輸液デバイス３５０を接続してよい。これにより、より容易に輸液デバイス３５０の接続を行うことができる。
【００９９】
第２操作に引き続いて、第３操作を実施する。この第３操作では、輸液バック・ボトルによる点滴を行う。具体的には、図２２（Ｅ）に示すように、輸液バック・ボトル３００が実質的に袋２００’に納められた状態を維持して輸液バック・ボトル３００による点滴を行う。点滴の後は、輸液バック・ボトルの廃棄処理を行う。特に本発明においては、図２２（Ｆ）に示すように、輸液バック・ボトル３００を袋２００’に収めた状態を維持し、袋２００’をそのまま廃棄袋として用いる。より具体的には、廃棄処理に際しては、輸液バック・ボトル３００に接続される輸液デバイス３５０を袋内部に収納することが好ましい。これにより、輸液バック・ボトル３００のみならず、それに接続される輸液デバイス３５０をも一体的に安全に廃棄することができる。また、図示するように、袋２００’を廃棄袋として使用するに際しては、第１密閉機構１５’および第２密閉機構２５’をそれぞれ閉状態にして袋の再封止を行うことが好ましい。これにより、使用済みの輸液バック・ボトル３００および／または輸液デバイス３５０を外界から好適に遮断でき、輸液バック・ボトルを扱う医療従事者や患者が抗がん剤に曝される危険を減じた状態でもって廃棄処理が行える。つまり、好ましくは、廃棄袋として使用するに際して、輸液バック・ボトルに接続される輸液デバイスを袋内部に収納することによって、輸液バック・ボトルのみならず、輸液デバイスをも袋内部に詰め込んだ状態で袋の廃棄が行える。
【０１００】
以上の如くの図２２（Ａ）〜（Ｆ）から分かるように、穿孔７０’が設けられた袋は、輸液バック・ボトル３００の挿入向きに依存しない“双方向収納型の袋”となっている。穿孔７０’が設けられた袋が“双方向収納型の袋”となっていることは、図２２（Ａ）〜Ｙ（Ｆ）と図２３（Ａ）〜（Ｆ）とを比べてみると特に理解できるであろう。
【０１０１】
以上、本発明の実施態様について説明してきたが、本発明の適用範囲における典型例を示したに過ぎない。したがって、本発明は、上記の実施形態に限定されず、種々の変更がなされ得ることは当業者に容易に理解されよう。
【０１０２】
例えば、上述した医療用袋２００’は、一重袋／単独袋の形態であったが、例えば、図２４および図２５に示すように二重袋の形態であってもよい。つまり、図示するように、内袋体と外袋体とからなる医療用袋であってもよい。より具体的には、本発明で使用される医療用袋は、相対的に内側に位置付けられた内袋体と相対的に外側に位置付けられた外袋体とから成る二重袋構造を有しており、輸液バック・ボトル収納袋が互いに対向する２つの開口端を備え、その２つの開口端の一方が“内袋体の開口端”から構成されるのに対して、２つの開口端の他方が“外袋体の開口端”から構成されている医療用袋であってよい。
【産業上の利用可能性】
【０１０３】
本発明に係る医療・介護用架台は、医療現場や介護現場などで好適に用いられる。特に医療現場や介護現場などで用いられる袋への収納操作に好適に用いることができる。
【０１０４】
例えば、袋が各種の輸液バック・ボトルのための袋である場合、その袋に輸液バック・ボトルを収納するのに本発明の医療用架台を用いることができる。更にいえば、輸液バック・ボトルががん治療の点滴に用いられる抗がん剤バックやボトルである場合、本発明の医療用架台はスムーズに袋収納を実施できるので、より好適に曝露防止を図ることができる。上述した医療用袋２００’に関する説明についていえば、図１９、図２２および図２３の態様における輸液バック・ボトル３００を収納する際（および／または輸液バック・ボトルの使用後に輸液デバイス３５０を袋に収める際）に本発明の医療用架台を好適に用いることができる。
【符号の説明】
【０１０５】
５０        相互対応した部分
５０Ａ      相互対応した部分の上端
５１        相互対応した部分の一方
５２        相互対応した部分の他方
５５        袋設置空間
５８        突出部
５８Ａ      突出部の上端
５９        土台部材（支持部材）
６０        梁部材
７０        細長材
１００      医療・介護用架台
２００      袋
２１０      袋の開口端
２００’    医療・介護用袋（例えば輸液バック・ボトルのための収納袋）
２１０’    医療・介護用袋の開口端
１０’    医療・介護用袋の第１端部
１５’    医療・介護用袋の第１密閉機構
２０’    医療・介護用袋の第２端部
２５’    医療・介護用袋の第２密閉機構
３０’    医療・介護用袋の切欠き開口
４０’    医療・介護用袋の切込み部分
４５’    医療・介護用袋の切込み部分の破断によって形成される破断開口
３００    輸液バック・ボトル
３０５    輸液バック・ボトルの先端側
３００Ａ  輸液バック
３００Ｂ  輸液ボトル
３１０    輸液バック・ボトルの吊下部
３１０ａ  吊下部の中空部分
３５０    輸液デバイス
【図１】
2018089171.tif 000003
【図２】
2018089171.tif 000004
【図３】
2018089171.tif 000005
【図４】
2018089171.tif 000006
【図５】
2018089171.tif 000007
【図６】
2018089171.tif 000008
【図７】
2018089171.tif 000009
【図８】
2018089171.tif 000010
【図９】
2018089171.tif 000011
【図１０】
2018089171.tif 000012
【図１１Ａ】
2018089171.tif 000013
【図１１Ｂ】
2018089171.tif 000014
【図１２】
2018089171.tif 000015
【図１３】
2018089171.tif 000016
【図１４】
2018089171.tif 000017
【図１５】
2018089171.tif 000018
【図１６】
2018089171.tif 000019
【図１７】
2018089171.tif 000020
【図１８】
2018089171.tif 000021
【図１９】
2018089171.tif 000022
【図２０】
2018089171.tif 000023
【図２１】
2018089171.tif 000024
【図２２】
2018089171.tif 000025
【図２３】
2018089171.tif 000026
【図２４】
2018089171.tif 000027
【図２５】
2018089171.tif 000028